(57)【特許請求の範囲】
【請求項１】
(ａ)台形の可撓性板状体よりなり、
(ｂ)該板状体の長さがもっとも短い辺側を把持部とし、
(ｃ)該板状体の把持部と平行な対向辺にはくしめ刃を設け、
(ｄ)くしめ刃を有する辺と把持部との間の２つの辺の一方の辺には手鐶を嵌め込むための細長い開口部が設けられている手鐶連結部を有することを特徴とするくしめごて。
【請求項２】
手鐶連結部を該板状体であるくしめごてから分離可能とするため、手鐶連結部にはくしめごてとの付け根部分に切り込み線が設けられているものである請求項１記載のくしめごて。
【請求項３】
くしめごての幅を２段階に縮小できる２つの切り込み線を、前記手鐶連結部を有する辺と平行に設けるか、前記手鐶連結部とは反対側の辺に平行に設けたものである請求項１または２記載のくしめごて。
【請求項４】
（イ）くしめ刃を有する辺の長さが９５ｍｍであり、（ロ）前記くしめごての幅を２段階に縮小できる２つの切り込み線の位置が、前記手鐶連結部を有する辺またはその反対側から計って５５ｍｍと７０ｍｍの位置に設けられている請求項３記載のくしめごて。
【請求項５】
前記可撓性板状体が合成樹脂製である請求項１〜４いずれか記載のくしめごて。
【発明の詳細な説明】
【技術分野】
【０００１】
本発明は、幅木を壁の基部に接着するための接着剤塗布に適してるうえ、接着剤などの入った缶の手鐶（この鐶に手を入れて缶を持ち運べるようにしたもの）に簡単に取り付けることのできる「くしめごて」に関する。
【背景技術】
【０００２】
従来、床下地や壁下地に接着剤を塗布する際に用いる「くしめごて」１１は、図１に示すように、くしめ刃と把握部とを１枚の金属で作ったものあるいは図２に示すようにくしめ刃部１２と把握部１６とをネジ２０で結合して一体化したものなどがある（特許文献１参照）が、通常、その大きさは作業効率や使い易さの点から、図１に示すように、くしめ刃を有する辺の長さが約１５０ｍｍ、「くしめ刃を有する辺」と「手でそれをもつ側の辺」との間の距離が約１３０ｍｍの大きさのものが用いられている。
【０００３】
ところが、壁の基部に沿って貼り付けられている幅木、とくにソフト幅木は、通常、高さ（幅）１００ｍｍのもの、７５ｍｍのもの、６０ｍｍのものがある。
このような幅木の接着に当り、接着剤を壁の基部に塗付する時、１００ｍｍの幅木を接着するときは下から９５ｍｍ程度の高さまで、７５ｍｍの幅木を接着するときは下から７０ｍｍ程度の高さまで、６０ｍｍの幅木を接着するときは下から５５ｍｍ程度の高さまで、接着剤を塗付することが求められている。
しかし、現在用いられている前述のくしめごてでは、くしめ刃の幅が１５０ｍｍもあるため、これを用いて前記幅木を接着するための接着剤を塗付すると、幅木を接着しない部分まで接着剤が塗付されてしまうので、これを用いて幅木の長手方向（床面にたいして平行方向）に接着剤を塗付することができず、これを用いる場合は床面から垂直の方向に塗付するしかなく、作業効率が極めて悪いというのが実情であった。
【０００４】
一方、接着剤を入れた９〜２０ｋｇ入りの金属缶は、上部中央に缶を手で持って運べるように手鐶が設けられており、この手鐶をくしめごてに設けた細長い開口部に通すことにより、くしめごてを接着剤入り缶に１個づつセットして工事屋に提供しているのが実情である。
しかし、幅木の高さ（幅）に合わせてくしめごてのくしめ刃の幅を１００ｍｍ以下、とくに７０ｍｍ以下とすると、くめしごての把握部にくしめ刃と平行に「手鐶を嵌め込むための細長い（長さ約８５ｍｍ）開口部」を設けることができない。それなら、くしめ刃と平行に設けなくても、くしめごての縦方向に設ければよいではないか、と思われるかもしれないが、このような方向に前記細長い開口部を設けると、塗付作業中に接着剤がこの開口部からくしめごての裏側に出てきてしまい、塗付作業に不都合が生じるので、このような方向に開口部を設けることはできない。そのため、幅木の施工に合わせたサイズのくしめごてには手鐶用の開口部が設けられないという問題点が生じる。
【特許文献１】実公平７−２２４３６号公報
【発明の開示】
【発明が解決しようとする課題】
【０００５】
本発明の目的は、幅木などの幅の狭い帯状の部材を接着するための接着剤を塗付する場合に有用で、かつ接着剤入り缶の手鐶に嵌め込むことのできる開口部を有する新規な「くしめごて」を提供する点にある。
【課題を解決するための手段】
【０００６】
本発明の第一は、(ａ)台形の可撓性板状体よりなり、
(ｂ)該板状体の長さがもっとも短い辺側を把持部とし、
(ｃ)該板状体の把持部と平行な対向辺にはくしめ刃を設け、
(ｄ)くしめ刃を有する辺と把持部との間の２つの辺の一方の辺には手鐶（接着剤などが入っている缶を手で吊り下げて運ぶために設けられているもの）を嵌め込むための細長い開口部が設けられている（好ましくは、その辺に沿ってほぼ平行に設けられている）手鐶連結部を有することを特徴とするくしめごてに関する。
本発明の第２は、手鐶連結部を該板状体であるくしめごてから分離可能とするため、手鐶連結部にはくしめごてとの付け根部分に切り込み線が設けられているものである請求項１記載のくしめごてに関する。
本発明の第３は、くしめごての幅を２段階に縮小できる２つの切り込み線を、前記手鐶連結部を有する辺と平行に設けるか、前記手鐶連結部とは反対側の辺に平行に設けたものである請求項１または２記載のくしめごてに関する。
本発明の第４は、（イ）くしめ刃を有する辺の長さが９５ｍｍであり、（ロ）前記くしめごての幅を２段階に縮小できる２つの切り込み線の位置が、前記手鐶連結部を有する辺またはその反対側から計って５５ｍｍと７０ｍｍの位置に設けられている請求項３記載のくしめごてに関する。
本発明の第５は、前記可撓性板状体が合成樹脂製である請求項１〜４いずれかに記載のくしめごてに関する。
【０００７】
前記可撓性板状体の材質は、可撓性をもつものであればアルミニウムのような金属でもよいが、本発明のくしめごては使い捨ての場合がほとんどであるため、合成樹脂製であることが好ましい。木製や紙製でもある程度は使用できるが、合成樹脂程度の強度をもつものが最適である。このような合成樹脂としては、ポリエチレン、ポリプロピレン、エチレン／プロピレン共重合体、これらポリマーの混合物などを挙げることができるが、これらに限定されるものではない。
【０００８】
手鐶連結部３を分離可能とするための可撓性板状体に設けられた切り込み線７も、くしめごての幅を２段階に縮小するための可撓性板状体に設けられた２つの切り込み線４、５も、ともにその部分から切断、分離するための線である。通常、その部分から可撓性板状体を折り曲げることにより切断できるものであり、可撓性板状体を貫通する破線を設けたり、可撓性板状体の厚さの１／４〜２／３程度の切り込みを入れたものである。また、２つの切り込み線を設ける場合には、一方の切り込み線が設けられている面とは反対の面にもう一方の切り込み線を入れることが好ましい。
【０００９】
本発明のくしめごて１は、例えば図７に示すように接着剤入り缶２２の手鐶２１にはめこんで固定されている。使用に当っては、接着剤入りの缶の手鐶からくしめごて１を取り外し、まず、手鐶連結部３をその切り込み線７を利用して切り取る。つぎに、接着しようとする幅木の高さ（幅）が１００ｍｍはそのままで使用する。接着しようとする幅木の高さ（幅）が７５ｍｍの場合は前記分離可能な手鐶連結部を有する辺またはその反対側から計って約７０ｍｍの位置に設けられている切り込み線４を利用して切り取ってから使用する。また、接着しようとする幅木の高さ（幅）が６０ｍｍの場合は前記分離可能な手鐶連結部を有する辺またはその反対側から計って約５５ｍｍの位置に設けられている切り込み線５を利用して切り取ってから使用する。幅木の高さ（幅）よりくしめ刃２の幅が５ｍｍ程度小さいのは、幅木が壁を覆わない部分まで接着剤が誤って塗付され、壁面を汚染することがないようにするためである。また、塗付作業時に床面に下敷きをあてがい接着剤を塗付することが多いので、やはりくしめ刃部分の幅は、幅木の高さ（幅）より少し（たとえば５ｍｍ程度）短いほうが好都合である。
【００１０】
本発明のくしめごて１における前記分離可能な手鐶連結部の厚さは、くしめごてを手鐶を利用して缶に取り付けたとき、手鐶が缶の表面に接触して寝た状態になる必要がある。なんとなれば、このような状態にならないと缶を積み重ねようとしたとき、立ったままの手鐶が邪魔をして積み重ねができなくなるからである。このような厚さの目安は通常１ｍｍ以下である。一方、くしめごて本体の厚さは、くしめごての材質により異なるが、ポリエチレンによりなるくしめごての場合は、実施例１に示す寸法の±２０％前後のものが好ましい。
【００１１】
本発明における「くしめ刃を有する辺」と「その端部からのびる辺」との角度は、すべて９０度を下回る角度であることが好ましい。このような角度にしておけば、幅木を施工するに当って接着剤をくしめごてで塗付するとき、くしめ刃以外の部分は床面に全く接触しないので、塗付作業が容易となる。
【発明の効果】
【００１２】
（１）幅木の施工時に接着剤が塗付しやすい「くしめごて」であるため、作業効率が向上する。
（２）接着剤などが入った缶への取り付けが容易であり、梱包をしなくても缶毎にくしめごてを取り付けることができる。
（３）くしめごての材質として、合成樹脂を使用する場合は、金属製のものより安価となる。また、金属製のものは接着剤などの入った缶を傷つけることが多いが、合成樹脂製の場合は前記缶を傷つけることが少ないし、くしめごてで手を傷つける恐れも少ない。
【実施例】
【００１３】
以下に実施例を挙げて本発明を説明するが、本発明はこれにより何ら限定されるものではない。
【００１４】
実施例１
図３は、実施例１の「くしめごて」の平面図である。
図４は、図３の平面図のものを上方から見た図、すなわち上面図である。
図５は、図３の平面図のものを左側から見た図、すなわち左側から見た側面図である。
図６は、図３の平面図のものを右側から見た図、すなわち右側から見た側面図である。
このものは、ポリエチレン製であり、図３における表切り込み線とは図３に示す「くしめごて」の表面側から切り込みを入れた線を意味し、裏切り込み線は図３に示す「くしめごて」の裏面側から切り込みを入れた線を示す。
幅木の高さ（幅）が１００ｍｍのものを壁に貼る場合には、図３に示す手鐶連結部を切り込み線７を利用して切はなした状態で使用する。
幅木の高さ（幅）が７５ｍｍのものを壁に貼る場合には、裏切り込み線４のところから左側の部分を、切り捨てて使用する。
幅木の高さ（幅）が６０ｍｍのものを壁に貼る場合には、表切り込み線５のところから左側の部分を、切り捨てて使用する。
本くしめごての全体の厚みの変化は、図６に示されており、手でそれを持つ側の辺の厚みは５ｍｍ、くしめ刃側の厚みは１．３ｍｍであり、手鐶連結部の厚みは２．５ｍｍとした。
【図面の簡単な説明】
【００１５】
【図１】（Ａ）は従来のくしめごての１例を示す平面図であり、（Ｂ）はその側面図である。
【図２】（Ａ）は従来のくしめごての他の１例を示す平面図であり、（Ｂ）はその側面図である。
【図３】実施例１の「くしめごて」の平面図である。
【図４】図３の平面図のものを上方から見た図、すなわち上面図である。
【図５】図３の平面図のものを左側から見た図、すなわち左側から見た側面図である。
【図６】図３の平面図のものを右側から見た図、すなわち右側から見た側面図である。
【図７】接着剤入り缶の手鐶に「くしめごて」をセットした状態を示す斜視図である。
【符号の説明】
【００１６】
１  くしめごて
２  くしめ刃
３  手鐶連結部
４  切り込み線
５  切り込み線
７  切り込み線
１１  くしめごて
１２  くしめ刃部
１６  把握部
２０  ネジ
２１  手鐶
２２  接着剤入り缶
【図１】
0004804219.tif 000002
【図２】
0004804219.tif 000003
【図３】
0004804219.tif 000004
【図４】
0004804219.tif 000005
【図５】
0004804219.tif 000006
【図６】
0004804219.tif 000007
【図７】
0004804219.tif 000008